【手続補正書】
【提出日】平成18年4月20日(2006.4.20)
【手続補正１】
【補正対象書類名】特許請求の範囲
【補正対象項目名】請求項１
【補正方法】変更
【補正の内容】
【請求項１】
１ゲームに対して所定数の賭数を設定することによりゲームを開始させることが可能となり、各々が識別可能な複数種類の識別情報を変動表示させる可変表示装置に表示結果が導出表示されることにより１ゲームが終了し、該可変表示装置の表示結果に応じて所定の入賞が発生可能であるスロットマシンにおいて、
前記可変表示装置の表示結果が導出表示される以前に、前記賭数の設定に用いられる有価価値の付与のみを伴う特定表示結果と、該有価価値以外の遊技価値の付与を伴う特別表示結果とを少なくとも含む入賞表示結果を導出させることを許容するか否かを決定し、該決定結果に応じた決定情報を設定する事前決定手段と、
遊技者の操作により、前記識別情報の変動表示を停止させることを指示する停止操作手段と、
前記停止操作手段が操作されたときに、前記事前決定手段による決定結果に基づき前記識別情報の変動表示を停止させる指示がなされてから停止させるまでの停止遅延時間であって、遊技状態ごとに定められた最大停止遅延時間の範囲内で前記可変表示装置における前記識別情報の変動表示を停止させることにより表示結果を導出させる導出制御手段と、
予め定められた第１の最大停止遅延時間の範囲内で表示結果を導出させることが可能な通常遊技状態から、前記事前決定手段により前記特別表示結果の導出を許容することを示す特別決定情報が設定され、該特別決定情報に基づいて前記特別表示結果を導出したときに、前記通常遊技状態とは異なる遊技状態であって、前記第１の最大停止遅延時間よりも短い第２の最大停止遅延時間の範囲内で、前記事前決定手段により前記特定表示結果の導出を許容することが決定されたか否かに関わらずに前記特定表示結果を導出させることが可能な複数回の特別ゲームからなる特別遊技状態に、遊技状態を制御する遊技状態制御手段と、
所定の終了条件が成立したときに、前記特別遊技状態を終了させる特別遊技状態終了手段と、
前記事前決定手段により設定された前記特別決定情報に基づいて前記特別表示結果が導出しなかったときに、該設定された特別決定情報を次ゲーム以降に持ち越す特別決定情報持越手段と、
を備えることを特徴とするスロットマシン。
【手続補正２】
【補正対象書類名】明細書
【補正対象項目名】００１１
【補正方法】変更
【補正の内容】
【００１１】
上記目的を達成するため、本発明の第１の観点にかかるスロットマシンは、
１ゲームに対して所定数の賭数を設定することによりゲームを開始させることが可能となり、各々が識別可能な複数種類の識別情報を変動表示させる可変表示装置（可変表示装置２）に表示結果が導出表示されることにより１ゲームが終了し、該可変表示装置の表示結果に応じて所定の入賞が発生可能であるスロットマシンにおいて、
前記可変表示装置の表示結果が導出表示される以前に、前記賭数の設定に用いられる有価価値（メダル）の付与のみを伴う特定表示結果（各種小役入賞の表示態様）と、該有価価値以外の遊技価値の付与を伴う（さらに、有価価値の付与を伴ってもよい）特別表示結果（ＣＴ入賞の表示態様）とを少なくとも含む入賞表示結果を導出させることを許容するか否かを決定し、該決定結果に応じた決定情報（当選フラグ）を設定する事前決定手段（ステップＳ３：図７）と、
遊技者の操作により、前記識別情報の変動表示を停止させることを指示する停止操作手段（停止ボタン１２Ｌ、１２Ｃ、１２Ｒ）と、
前記停止操作手段が操作されたときに、前記事前決定手段による決定結果に基づき前記識別情報の変動表示を停止させる指示がなされてから停止させるまでの停止遅延時間であって、遊技状態ごとに定められた最大停止遅延時間の範囲内で前記可変表示装置における前記識別情報の変動表示を停止させることにより表示結果を導出させる導出制御手段（ステップＳ３０３、Ｓ３０５、Ｓ３０６、Ｓ３０７）と、
予め定められた第１の最大停止遅延時間（１９０ｍｓ）の範囲内で表示結果を導出させることが可能な通常遊技状態（通常の遊技状態）から、前記事前決定手段により前記特別表示結果の導出を許容することを示す特別決定情報（ＣＴ当選フラグ）が設定され、該特別決定情報に基づいて前記特別表示結果を導出したときに、前記通常遊技状態とは異なる遊技状態であって、前記第１の最大停止遅延時間よりも短い第２の最大停止遅延時間（７５ｍｓ）の範囲内で、前記事前決定手段により前記特定表示結果の導出を許容することが決定されたか否かに関わらずに前記特定表示結果を導出させることが可能（ステップＳ３０３、Ｓ３０５）な複数回の特別ゲームからなる特別遊技状態（ＣＴ）に、遊技状態を制御する遊技状態制御手段（ステップＳ４０５）と、
所定の終了条件（払出メダル枚数が所定数に到達）が成立したときに、前記特別遊技状態を終了させる特別遊技状態終了手段（ステップＳ５０６）と、
前記事前決定手段により設定された前記特別決定情報に基づいて前記特別表示結果が導出しなかったときに、該設定された特別決定情報を次ゲーム以降に持ち越す特別決定情報持越手段（ステップＳ５０９、Ｓ４０６）と、
を備えることを特徴とする。
なお、前記特別遊技状態は、前記第１の最大停止遅延時間よりも短い第２の最大停止遅延時間（７５ｍｓ）の範囲内で、前記事前決定手段により前記特定表示結果の導出を許容することが決定されたか否かに関わらずに前記特定決定情報（スイカ当選フラグ）を設定し（ステップＳ１１６）、該設定された特定決定情報に基づいて前記特定表示結果を導出させることが可能（ステップＳ３０３、Ｓ３０５）な複数回の特別ゲームからなるものとしてもよい。
【手続補正３】
【補正対象書類名】明細書
【補正対象項目名】００１２
【補正方法】変更
【補正の内容】
【００１２】
上記スロットマシンでは、特別遊技状態に制御されると、各ゲームで特定表示結果の導出を許容する旨が決定されたか否かに関わらずに（特定決定情報が設定され、該特別決定情報に基づいて）、第２の最大停止遅延時間の範囲内で遊技者が停止操作手段を操作することによって特定表示結果を導出させることができるので、遊技者の技術介入が向上し、遊技の興趣を向上させることができる。しかも、このような特別遊技状態の発動に、事前決定手段の決定による特別決定情報の設定だけではなく、さらに特別決定結果を導出させることも要件となっているため、その発動にも遊技者の技術介入が働き、遊技の興趣を向上させることができる。
【手続補正４】
【補正対象書類名】明細書
【補正対象項目名】００１４
【補正方法】変更
【補正の内容】
【００１４】
上記目的を達成するため、本発明の第２の観点にかかるスロットマシンは、
１ゲームに対して所定数の賭数を設定することによりゲームを開始させることが可能となり、各々が識別可能な複数種類の識別情報を変動表示させる可変表示装置（可変表示装置２）に表示結果が導出表示されることにより１ゲームが終了し、該可変表示装置の表示結果に応じて所定の入賞が発生可能であるスロットマシンにおいて、
前記可変表示装置の表示結果が導出表示される以前に、前記賭数の設定に用いられる有価価値（メダル）の付与のみを伴う特定表示結果（各種小役入賞の表示態様）と、該有価価値以外の遊技価値の付与を伴う（さらに、有価価値の付与を伴ってもよい）特別表示結果（ＣＴ入賞の表示態様）とを少なくとも含む入賞表示結果を導出させることを許容するか否かを決定し、該決定結果に応じた決定情報（当選フラグ）を設定する事前決定手段（ステップＳ３：図７）と、
遊技者の操作により、前記識別情報の変動表示を停止させることを指示する停止操作手段（停止ボタン１２Ｌ、１２Ｃ、１２Ｒ）と、
前記停止操作手段が操作されたときに、前記事前決定手段による決定結果に基づき前記識別情報の変動表示を停止させる指示がなされてから停止させるまでの停止遅延時間であって、遊技状態ごとに定められた最大停止遅延時間の範囲内で前記可変表示装置における前記識別情報の変動表示を停止させることにより表示結果を導出させる導出制御手段（ステップＳ３０３、Ｓ３０５、Ｓ３０６、Ｓ３０７）と、
予め定められた第１の最大停止遅延時間（１９０ｍｓ）の範囲内で表示結果を導出させることが可能な通常遊技状態（通常の遊技状態）から、前記事前決定手段により前記特別表示結果の導出を許容することを示す特別決定情報（ＣＴ当選フラグ）が設定され、該特別決定情報に基づいて前記特別表示結果を導出したときに、前記通常遊技状態とは異なる遊技状態であって、前記第１の最大停止遅延時間よりも短い第２の最大停止遅延時間（７５ｍｓ）の範囲内で前記事前決定手段による前記特定表示結果の導出を許容することを示す特定決定情報の設定に関わらずに前記特定表示結果を導出させることが可能（ステップＳ３０３、Ｓ３０５）な複数回の特別ゲームからなる特別遊技状態（ＣＴ）に、遊技状態を制御する遊技状態制御手段（ステップＳ４０５）と、
所定の終了条件（払出メダル枚数が所定数に到達）が成立したときに、前記特別遊技状態を終了させる特別遊技状態終了手段（ステップＳ５０６）と、
前記事前決定手段により設定された前記特別決定情報に基づいて前記特別表示結果が導出しなかったときに、該設定された特別決定情報を次ゲーム以降に持ち越す特別決定情報持越手段（ステップＳ５０９、Ｓ４０６）と、
を備えることを特徴とする。
【手続補正５】
【補正対象書類名】明細書
【補正対象項目名】００１５
【補正方法】変更
【補正の内容】
【００１５】
上記スロットマシンでは、特別遊技状態に制御されると、各ゲームにおいて特定決定情報の設定に関わらずに、第２の最大停止遅延時間の範囲内で遊技者が停止操作手段を操作することによって特定表示結果を導出させることができるので、遊技者の技術介入が向上し、遊技の興趣を向上させることができる。しかも、このような特別遊技状態の発動に、事前決定手段の決定による特別決定情報の設定だけではなく、さらに特別決定結果を導出させることも要件となっているため、その発動にも遊技者の技術介入が働き、遊技の興趣を向上させることができる。